(57)【特許請求の範囲】
【請求項１】
複数の色光を色光毎に変調する複数の反射型光変調装置と、
前記複数の反射型光変調装置にて変調された各色光がそれぞれ入射する複数の光入射側端面、および前記光入射側端面に交差する交差端面を有し、入射する各色光を合成する色合成光学装置と、
前記反射型光変調装置に取り付けられるベース部、および前記ベース部から突出し、前記交差端面に交差する方向に延出するフィンを有するヒートシンクと、
前記交差端面に対向する位置に配置され、導入した空気を前記ヒートシンクに排出するダクト部材と、
を備え、
前記ダクト部材は、
前記フィンに対向して設けられ、導入した空気を前記ベース部に向かう方向に排出する第１排出部と、
導入した空気を前記フィンの延出する方向に沿って排出する第２排出部と、
を有し、
前記第１排出部と前記第２排出部は前記導入した空気を同一の前記ヒートシンクに排出することを特徴とするプロジェクター。
【請求項２】
請求項１に記載のプロジェクターであって、
前記複数の反射型光変調装置は、３つの色光をそれぞれ変調する第１、第２および第３の反射型光変調装置で構成され、前記第２の反射型光変調装置は、前記第１の反射型光変調装置に入射する光の光路と、前記第３の反射型光変調装置に入射する光の光路との間に配置され、
前記ダクト部材は、前記第１および前記第３の反射型光変調装置に取り付けられる前記ヒートシンクに対応する前記第１排出部を有し、前記第２の反射型光変調装置に取り付けられる前記ヒートシンクに対応する前記第１排出部を有していないことを特徴とするプロジェクター。
【請求項３】
請求項２に記載のプロジェクターであって、
前記第１排出部は、前記色合成光学装置に対して、前記第２排出部より遠い位置に形成されていることを特徴とするプロジェクター。
【請求項４】
請求項１〜請求項３のいずれか一項に記載のプロジェクターであって、
前記ダクト部材は、
内部に空気を導入する導入ダクト部と、
前記導入ダクト部から導入された空気を複数の流路に分散させるダクト本体と、
を備え、
前記ダクト本体は、前記複数の流路をそれぞれ形成し、前記ヒートシンクに空気を排出する複数の送風ダクト部を有し、
前記複数の送風ダクト部のうちの少なくとも１つは、前記第１排出部および前記第２排出部に連通していることを特徴とするプロジェクター。
【請求項５】
請求項４に記載のプロジェクターであって、
前記ダクト本体は、前記交差端面に沿って延出し、
前記導入ダクト部は、前記交差端面に交差する方向から前記ダクト本体に空気を導入することを特徴とするプロジェクター。
【請求項６】
請求項４または請求項５に記載のプロジェクターであって、
前記送風ダクト部は、３つ設けられ、
前記ダクト本体は、
空気の導入位置から前記３つの送風ダクト部のうちいずれかの送風ダクト部に向けて直線状に延びる第１流路を有し、
前記３つの送風ダクト部のうち他の２つの送風ダクト部は、
前記第１流路における流路方向の同一位置で前記第１流路にそれぞれ連通し、
前記導入ダクト部は、
前記導入位置が前記他の２つの送風ダクト部における前記第１流路への連通位置に略合致するように形成されていることを特徴とするプロジェクター。
【請求項７】
請求項４または請求項５に記載のプロジェクターであって、
前記送風ダクト部は、３つ設けられ、
前記ダクト本体は、
空気の導入位置から前記３つの送風ダクト部のうちいずれかの送風ダクト部に向けて直線状に延びる第１流路を有し、
前記３つの送風ダクト部のうち他の２つの送風ダクト部は、
前記第１流路における流路方向の異なる位置で前記第１流路にそれぞれ連通していることを特徴とするプロジェクター。
【発明の詳細な説明】
【技術分野】
【０００１】
本発明は、プロジェクターに関する。
【背景技術】
【０００２】
従来、入射した光束を変調する反射型光変調装置として、ＬＣＯＳ（Liquid Crystal On Silicon）等の反射型液晶パネルを採用したプロジェクターが知られている（例えば、特許文献１参照）。
特許文献１に記載のプロジェクターでは、赤色光、緑色光、青色光の３つの色光に応じて反射型液晶パネルを３つ設け、各反射型液晶パネルにて変調された各色光を色合成光学装置にて合成し、投写レンズにてスクリーンに向けて投写している。
【先行技術文献】
【特許文献】
【０００３】
【特許文献１】特開２００９−３６８１９号公報
【発明の概要】
【発明が解決しようとする課題】
【０００４】
ところで、特許文献１に記載のプロジェクターにおいて、３つの反射型光変調装置の冷却構造としては、例えば、以下の構造が考えられる。
すなわち、反射型光変調装置に空気を送風するためのダクト部材として、３つの反射型光変調装置に応じてそれぞれ流路が独立した状態で３つ設ける。そして、各ダクト部材を介して各反射型光変調装置に空気を送風させる。
しかしながら、上述した冷却構造を採用した場合には、３つのダクト部材を設ける必要があるため、冷却構造全体が大型化し、プロジェクター内部の省スペース化が図れない、という問題がある。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、複数の色光を色光毎に変調する複数の反射型光変調装置と、前記複数の反射型光変調装置にて変調された各色光がそれぞれ入射する複数の光入射側端面、および前記光入射側端面に交差する交差端面を有し、入射する各色光を合成する色合成光学装置と、前記反射型光変調装置に取り付けられるベース部、および前記ベース部から突出し、前記交差端面に交差する方向に延出するフィンを有するヒートシンクと、前記交差端面に対向する位置に配置され、導入した空気を前記ヒートシンクに排出するダクト部材と、を備え、前記ダクト部材は、前記フィンに対向して設けられ、導入した空気を前記ベース部に向かう方向に排出する第１排出部と、導入した空気を前記フィンの延出する方向に沿って排出する第２排出部と、を有し、前記第１排出部と前記第２排出部は前記導入した空気を同一の前記ヒートシンクに排出することを特徴とする。
【０００７】
この構成によれば、ダクト部材に空気を導入させることで、ヒートシンクには、第１排出部と第２排出部とから空気が送風される。すなわち、ヒートシンクには、ベース部に向かう方向、およびフィンに沿う方向の空気が流れる。これによって、ヒートシンクには、ベース部およびフィンの表面に満遍なく空気が吹き付けられることが可能になると共に、ベース部に向かう方向の空気によって、風圧が高められた空気が吹き付けられる。よって、ヒートシンク、つまりヒートシンクが取り付けられている反射型光変調装置の効率的な冷却が可能となる。
また、ダクト部材は、交差端面に対向する位置に配置され、ヒートシンクのフィンは、交差端面に交差する方向に延出している。これによって、プロジェクター内部のデッドスペースとなりやすい位置にダクト部材を配置し、迂回を抑制して導入する空気をヒートシンクに送風することが可能となる。
したがって、ダクト部材の小型化、ひいてはプロジェクターの小型化を図りつつ、複数の反射型光変調装置の効率的な冷却が可能となる。
【０００８】
［適用例２］上記適用例に係るプロジェクターにおいて、前記複数の反射型光変調装置は、３つの色光をそれぞれ変調する第１、第２および第３の反射型光変調装置で構成され、前記第２の反射型光変調装置は、前記第１の反射型光変調装置に入射する光の光路と、前記第３の反射型光変調装置に入射する光の光路との間に配置され、前記ダクト部材は、前記第１および前記第３の反射型光変調装置に取り付けられる前記ヒートシンクに対応する前記第１排出部を有し、前記第２の反射型光変調装置に取り付けられる前記ヒートシンクに対応する前記第１排出部を有していないことが好ましい。
【０００９】
この構成によれば、複数の反射型光変調装置は、例えば、赤色光、緑色光、青色光の３色の色光をそれぞれ変調する第１、第２および第３の反射型光変調装置で構成されている。そして、第２の反射型光変調装置は、第１の反射型光変調装置に入射する光の光路と、第３の反射型光変調装置に入射する光の光路との間に配置されている。そして、ダクト部材は、第１および第３の反射型光変調装置に取り付けられるヒートシンクに対応する第１排出部を有し、第２の反射型光変調装置に取り付けられるヒートシンクに対応する第１排出部を有していない。つまり、第２の反射型光変調装置に取り付けられるヒートシンクに対向する空間には、第１排出部が形成されていないので、この空間に他の部材を配置することや、第１や第３の反射型光変調装置に向かう光の光路を第２の反射型光変調装置に近付けて構成することが可能となる。
例えば、第１や第３の反射型光変調装置に向かう光の光路として、光の損失を抑制するレンズや、偏光素子等の光学部品を配置した光路を構成することが可能となる。よって、第１および第３の反射型光変調装置の効率的な冷却、および小型化を図りつつ、投写される画像の画質を高めたプロジェクターの提供が可能となる。
【００１０】
［適用例３］上記適用例に係るプロジェクターにおいて、前記第１排出部は、前記色合成光学装置に対して、前記第２排出部より遠い位置に形成されていることが好ましい。
【００１１】
この構成によれば、第１排出部は、色合成光学装置に対して、第２排出部より遠い位置に形成されている。これによって、第１および第３の反射型光変調装置に取り付けられるヒートシンクに対向する空間のうち、色合成光学装置側には、第１排出部が形成されていないこととなる。よって、この空間に色合成光学装置の周囲に配置される部材、例えば、色合成光学装置にて合成された色光を拡大投写する投写レンズ等の光学部品をスペース効率良く配置することが可能となる。よって、効率的に反射型光変調装置を冷却しつつ、さらに小型化や光学的な品質を高めた画像の投写が可能なプロジェクターの提供が図れる。
【００１２】
［適用例４］上記適用例に係るプロジェクターにおいて、前記ダクト部材は、内部に空気を導入する導入ダクト部と、前記導入ダクト部から導入された空気を複数の流路に分散させるダクト本体と、を備え、前記ダクト本体は、前記複数の流路をそれぞれ形成し、前記ヒートシンクに空気を排出する複数の送風ダクト部を有し、前記複数の送風ダクト部のうちの少なくとも１つは、前記第１排出部および前記第２排出部に連通していることが好ましい。
【００１３】
この構成によれば、ダクト部材は、導入ダクト部およびダクト本体を備え、ダクト本体には、複数の流路を形成し、ヒートシンクに空気を排出する複数の送風ダクト部が設けられている。これによって、導入ダクト部に空気を導入させれば、導入された空気は、ダクト本体の送風ダクト部によって複数の流路に分散し、複数のヒートシンクに送風される。また、複数の送風ダクト部のうちの少なくとも１つは、第１排出部および第２排出部に連通しているので、この２つの排出部からの空気が送風されたヒートシンクが取り付けられている反射型光変調装置の効率的な冷却が可能となる。
よって、簡易な構成で、かつ少ない部品点数で、複数のヒートシンク、つまりヒートシンクが取り付けられている複数の反射型光変調装置を冷却することが可能となる。したがって、効率的に複数の反射型光変調装置を冷却しつつ、さらに小型化や低コスト化が図れたプロジェクターの提供が可能となる。
【００１４】
［適用例５］上記適用例に係るプロジェクターにおいて、前記ダクト本体は、前記交差端面に沿って延出し、前記導入ダクト部は、前記交差端面に交差する方向から前記ダクト本体に空気を導入することが好ましい。
【００１５】
この構成によれば、ダクト本体および導入ダクト部が上述したように形成されているので、導入ダクト部を介してダクト本体に導入された空気は、ダクト本体の内面に衝突して交差端面に沿う方向に分散し、各送風ダクト部にバランス良く送り込まれることが可能となる。このため、複数のヒートシンク、つまり複数の反射型光変調装置をバランス良く冷却できる。
例えば、導入ダクト部として、交差端面に沿う方向からダクト本体に空気を導入する構成を採用した場合には、複数の送風ダクト部のうち特定の送風ダクト部に空気が送り込まれ易い。このため、各送風ダクト部にバランス良く空気を送り込むには、ダクト本体内部に各送風ダクト部への空気の流通量を制御するための複雑なリブ等を設ける必要がある。また、この複雑なリブ等を設けることによって、導入された空気の一部が滞留して、冷却に有効に使われない恐れがある。
これに対して、本適用例によれば、上述した構成により各送風ダクト部にバランス良く空気を送り込むことが可能となるため、リブ等の構成の簡素化、つまりダクト本体の構造の簡素化が可能になると共に、導入された空気を有効に反射型光変調装置の冷却に使用することが可能となる。
【００１６】
［適用例６］上記適用例に係るプロジェクターにおいて、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の同一位置で前記第１流路にそれぞれ連通し、前記導入ダクト部は、前記導入位置が前記他の２つの送風ダクト部における前記第１流路への連通位置に略合致するように形成されていることが好ましい。
【００１７】
ところで、上述した３つの送風ダクト部のうち他の２つの送風ダクト部を、導入位置から外れた位置で、かつ、第１流路における流路方向の同一位置で第１流路にそれぞれ連通するように構成した場合には、以下の問題が生じる恐れがある。
すなわち、ダクト本体内部を流通する空気は、ダクト本体内面に衝突して交差端面に平行する平面に沿って分散しても、ダクト本体の内面にて規制され、第１流路に沿って強制的に流通することとなる。そして、他の２つの送風ダクト部が第１流路における流路方向の同一位置で第１流路にそれぞれ連通しているため、第１流路に沿って流通する空気は、流通過程で、他の２つの送風ダクト部に主に送り込まれることとなる。このため、残りの１つの送風ダクト部に向う空気の流通量が少なくなり、反射型光変調装置の冷却効率が低下してしまう。
【００１８】
本適用例では、他の２つの送風ダクト部は、導入位置に略合致する位置で、かつ、第１流路における流路方向の同一位置で第１流路にそれぞれ連通するように構成している。これによって、ダクト本体内部を流通する空気は、ダクト本体内面に衝突して交差端面に平行する平面に沿って分散し、特定の送風ダクト部に多くの量が送り込まれることなく、３つの送風ダクト部にバランス良く送り込まれることとなる。このため、３つのヒートシンク、つまり３つの反射型光変調装置をバランス良く冷却することが可能となる。
【００１９】
［適用例７］上記適用例に係るプロジェクターにおいて、前記送風ダクト部は、３つ設けられ、前記ダクト本体は、空気の導入位置から前記３つの送風ダクト部のうちいずれかの送風ダクト部に向けて直線状に延びる第１流路を有し、前記３つの送風ダクト部のうち他の２つの送風ダクト部は、前記第１流路における流路方向の異なる位置で前記第１流路にそれぞれ連通していることが好ましい。
【００２０】
この構成によれば、３つの送風ダクト部のうち他の２つの送風ダクト部は、第１流路における流路方向の異なる位置で第１流路にそれぞれ連通するように構成されている。
これによって、導入ダクト部を介してダクト本体内部に導入され、第１流路に沿って流通した空気は、他の２つの送風ダクト部に主に送り込まれることがなく、３つの送風ダクト部に順にバランス良く送り込まれることとなる。このため、３つの反射型光変調装置をバランス良く冷却することが可能となる。
【図面の簡単な説明】
【００２１】
【図１】第１実施形態におけるプロジェクターの概略構成を示す模式図。
【図２】第１実施形態における光学装置およびダクト部材を示す平面図。
【図３】第１実施形態におけるＲ光用の変調ユニット、およびクロスダイクロイックプリズムを示す分解斜視図。
【図４】第１実施形態におけるダクト部材の斜視図。
【図５】第１実施形態におけるダクト部材の斜視図。
【図６】第１実施形態における第１筐体を内側から見た斜視図。
【図７】第１実施形態における第２筐体を内側から見た斜視図。
【図８】第１実施形態におけるＢ光用の変調ユニット、およびダクト部材の一部を示す斜視図。
【図９】第２実施形態におけるダクト部材の構成を示す図。
【図１０】第２実施形態におけるダクト部材の構成を示す図。
【図１１】第２実施形態におけるダクト部材の構成を示す図。
【図１２】第２実施形態におけるダクト部材の構成を示す図。
【発明を実施するための形態】
【００２２】
（第１実施形態）
以下、第１実施形態に係るプロジェクターについて、図面を参照して説明する。
本実施形態のプロジェクターは、光源から射出された光束を画像情報に応じて変調してスクリーン等に投写する。
図１は、本実施形態のプロジェクター１の概略構成を示す模式図である。
プロジェクター１は、図１に示すように、光源装置２１を有する光学ユニット２、ダクト部材５（図２参照）、およびこれらの構成部材を収納する外装筐体１０を備えている。なお、図１において図示は省略したが、外装筐体１０内には、制御部、光源装置２１や制御部に電力を供給する電源装置、プロジェクター１内部を冷却する冷却ファン等が配置されている。
【００２３】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２４】
〔光学ユニットの構成〕
光学ユニット２は、制御部による制御の下、光源装置２１から射出された光束を光学的に処理して投写する。
光学ユニット２は、図１に示すように、光源装置２１に加え、インテグレーター照明光学系２２、色分離光学装置２３、リレーレンズ２４Ｒ，２４Ｂ、偏光板２５Ｒ，２５Ｇ，２５Ｂ、平行化レンズ２６Ｒ，２６Ｇ，２６Ｂ、光学装置３、投写レンズ２８、およびこれらの光学部品を保持する保持体２９を備える。
【００２５】
光源装置２１は、超高圧水銀ランプやメタルハライドランプ等からなる放電型の光源２１１、リフレクター２１２、および光源２１１とリフレクター２１２とを収納する光源用筐体２１３を備える。そして、光源装置２１は、光源２１１から射出された光束をリフレクター２１２によって射出方向を揃え、インテグレーター照明光学系２２に向けて射出する。
【００２６】
インテグレーター照明光学系２２は、第１レンズアレイ２２１、第２レンズアレイ２２２、偏光変換素子２２３、重畳レンズ２２４、および第１レンズアレイ２２１と第２レンズアレイ２２２と偏光変換素子２２３とを収納する照明光学用筐体２２５を備える。重畳レンズ２２４は、後述する色分離用筐体２３５に収納される。
【００２７】
第１レンズアレイ２２１は、マトリクス状に配列された複数の小レンズを有して構成されており、光源装置２１から射出された光束を複数の部分光束に分割する。第２レンズアレイ２２２は、第１レンズアレイ２２１と略同様の構成を有しており、重畳レンズ２２４とともに、部分光束を後述する反射型光変調装置３１２の表面に重畳させる。
偏光変換素子２２３は、第２レンズアレイ２２２から射出されたランダム偏光光を反射型光変調装置３１２で利用可能な第１の直線偏光光に揃える。
【００２８】
色分離光学装置２３は、クロスダイクロイックミラー２３１、Ｇ光反射ダイクロイックミラー２３２、反射ミラー２３３，２３４、およびこれらの光学部品を収納する色分離用筐体２３５を備え、インテグレーター照明光学系２２から射出された光束を赤色光（以下「Ｒ光」という）、緑色光（以下「Ｇ光」という）、青色光（以下「Ｂ光」という）の３色の色光に分離する。
【００２９】
クロスダイクロイックミラー２３１は、Ｂ光反射ダイクロイックミラー２３１Ｂ、およびＧＲ光反射ダイクロイックミラー２３１ＧＲを備え、この２つの光学部品がＸ字状に配置されて構成されている。クロスダイクロイックミラー２３１は、インテグレーター照明光学系２２から射出された光束のうち、Ｂ光をＢ光反射ダイクロイックミラー２３１Ｂが反射し、Ｇ光およびＲ光をＧＲ光反射ダイクロイックミラー２３１ＧＲが反射して、入射する光束を分離する。
【００３０】
Ｂ光反射ダイクロイックミラー２３１Ｂにて反射されたＢ光は、反射ミラー２３３によって反射され、リレーレンズ２４Ｂを透過した後、偏光板２５Ｂに射出される。一方、ＧＲ光反射ダイクロイックミラー２３１ＧＲによって反射されたＧ光およびＲ光は、反射ミラー２３４によって反射された後、リレーレンズ２４Ｒを透過した後、Ｇ光反射ダイクロイックミラー２３２に射出される。
【００３１】
Ｇ光反射ダイクロイックミラー２３２は、入射するＧ光およびＲ光のうち、Ｇ光を反射し、Ｒ光を透過させて入射する光束を分離する。
そして、Ｇ光反射ダイクロイックミラー２３２にて反射されたＧ光は、偏光板２５Ｇに射出され、Ｇ光反射ダイクロイックミラー２３２を透過したＲ光は、偏光板２５Ｒに射出される。
【００３２】
リレーレンズ２４Ｂは、反射ミラー２３３によって反射されたＢ光を、後述する第３の反射型光変調装置３１２Ｂに効率良く導く機能を有している。同様に、リレーレンズ２４Ｒは、反射ミラー２３４によって反射されたＲ光を、後述する第１の反射型光変調装置３１２Ｒに効率良く導く機能を有している。リレーレンズ２４Ｂ，２４Ｒは、色分離用筐体２３５に収納される。
【００３３】
偏光板２５Ｒ，２５Ｇ，２５Ｂは、平行化レンズ２６Ｒ，２６Ｇ，２６Ｂにそれぞれ貼り付けられており、投写される画像のコントラスト化を高めるために備えられている。そして、偏光板２５Ｒ，２５Ｇ，２５Ｂは、色分離光学装置２３から射出された各色光の第１の直線偏光光を透過させ、偏光変換素子２２３にて揃えきれずに射出された第１の直線偏光光と略直交する第２の直線偏光光を吸収する。
【００３４】
平行化レンズ２６Ｒ，２６Ｇ，２６Ｂは、色分離光学装置２３にて分離された各色光が略平行な光束となって反射型光変調装置３１２を照明するように設定されている。平行化レンズ２６Ｒ，２６Ｇ，２６Ｂは、偏光板２５Ｒ，２５Ｇ，２５Ｂとともに色分離用筐体２３５に収納される。
【００３５】
〔光学装置の構成〕
図２は、光学装置３およびダクト部材５を示す平面図である。
光学装置３は、図１、図２に示すように、３色の色光毎に備えられた変調ユニット３１、および色合成光学装置としてのクロスダイクロイックプリズム３２を備え、色分離光学装置２３にて分離された各色光を画像情報に応じて変調し、変調された各色光を合成する。
【００３６】
図３は、光学装置３におけるＲ光用の変調ユニット３１、およびクロスダイクロイックプリズム３２を示す分解斜視図である。
３つの変調ユニット３１は、同様の構成を有し、図２、図３に示すように、反射型偏光板３１１、反射型光変調装置３１２、偏光板３１３、支持体３１４およびヒートシンク３１２３を備えている。
【００３７】
反射型偏光板３１１は、反射型偏光板３１１Ｒ，３１１Ｇ，３１１Ｂの３つで構成され、それぞれがＲ光用、Ｇ光用、Ｂ光用に対応するように形成されている。各反射型偏光板３１１は、支持体３１４により、図１に示すように、入射光束の光軸に対して略４５°傾斜した状態で配置される。
反射型偏光板３１１は、ガラス基板上にアルミニウム等からなる微細な線状リブを平行に多数配列したワイヤーグリッド型の構成になっている。そして、反射型偏光板３１１は、線状リブの延出方向に対して垂直な偏光方向の偏光光を透過し、線状リブの延出方向に平行な偏光方向の偏光光を反射する。
【００３８】
本実施形態の反射型偏光板３１１は、偏光変換素子２２３で揃えられた第１の直線偏光光を透過させ、第２の直線偏光光を反射する。なお、反射型偏光板３１１の光路前段側に位相差板を配置し、反射型偏光板３１１が第２の直線偏光光を透過し、第１の直線偏光光を反射するように構成してもよい。
【００３９】
〔反射型光変調装置の構成〕
反射型光変調装置３１２は、第１の反射型光変調装置３１２Ｒ、第２の反射型光変調装置３１２Ｇ、および第３の反射型光変調装置３１２Ｂの３つで構成され、それぞれがＲ光用、Ｇ光用、Ｂ光用に対応するように形成されている。各反射型光変調装置３１２は、図３に示すように、反射型液晶パネル３１２１、および保持枠３１２２を備えている。この反射型光変調装置３１２は、支持体３１４に保持され、図１に示すように、反射型偏光板３１１を透過した光束の光軸に対して略直交した状態で配置される。
【００４０】
反射型液晶パネル３１２１は、対向する基板間に液晶層が挟持された構造を有しており、いわゆるＬＣＯＳ（Liquid Crystal On Silicon）として構成されている。そして、一方の基板であるシリコン基板上には、スイッチング素子が接続された反射画素電極がマトリクス状に形成され、他方の基板（透明基板）には、対向電極が形成されている。
【００４１】
反射型液晶パネル３１２１は、制御部からの駆動信号に応じて反射画素電極と対向電極との間に電圧が印加され、液晶の配向状態が制御される。そして、反射型液晶パネル３１２１は、反射型偏光板３１１を透過した第１の直線偏光光を変調して反射型偏光板３１１に向けて反射する。反射型液晶パネル３１２１にて変調され、反射型偏光板３１１にて反射された各色光は、偏光板３１３に射出される。
【００４２】
保持枠３１２２は、反射型液晶パネル３１２１を保持する平面視矩形状の部材であり、金属等の熱伝導性材料から構成されている。
【００４３】
偏光板３１３は、支持体３１４に保持され、図１に示すように、反射型偏光板３１１を反射した各色光の光軸に対して略直交した状態で配置される。
偏光板３１３は、反射型液晶パネル３１２１にて変調され、反射型偏光板３１１にて反射された第２の直線偏光光の偏光方向と略同一の偏光方向を有する偏光光を透過させる。すなわち、反射型偏光板３１１および偏光板３１３の双方を用いることで、反射型偏光板３１１にて所望の直線偏光光以外の偏光成分が反射された場合であっても、偏光板３１３にて前記偏光成分を除去する構成を採用している。
【００４４】
支持体３１４は、反射型偏光板３１１、反射型光変調装置３１２、および偏光板３１３をそれぞれ支持する。
この支持体３１４は、図３に示すように、断面略直角二等辺三角形の三角柱状に形成された中空部材であり、斜面である第１側面３１４Ａ、頂角を挟む第２側面３１４Ｂおよび第３側面３１４Ｃを備える。そして、各側面３１４Ａ〜３１４Ｃには、開口部３１４Ｄがそれぞれ形成されている。
【００４５】
第１側面３１４Ａには、反射型偏光板３１１が固定され、第２側面３１４Ｂには、反射型光変調装置３１２が固定される。さらに、第３側面３１４Ｃには、偏光板３１３が固定される。
このように、各側面３１４Ａ〜３１４Ｃに各部材３１１〜３１３がそれぞれ固定されることで、各開口部３１４Ｄが閉塞され、支持体３１４内部の空間が密閉される。すなわち、この密閉空間内に反射型液晶パネル３１２１の表面３１２１Ａが配置されることとなるので、表面３１２１Ａへの粉塵の付着を防ぐことができ、表面３１２１Ａに付着した粉塵が投影画像中に影として映る等の投影画像の劣化を防止できる。
【００４６】
ヒートシンク３１２３は、金属等の熱伝導性材料から構成されている。このヒートシンク３１２３は、図３に示すように、平面視矩形板状のベース部３１２４と、ベース部３１２４から突出する複数のフィン３１２５とを備えている。フィン３１２５は、後述するクロスダイクロイックプリズム３２における一対の交差端面３２２が対向する方向（図３の図面視における上下方向（以下、「対向方向Ｄ」という）に沿って延びている。つまり、フィン３１２５は、交差端面３２２に交差する方向に延出するように形成されている。なお、以下、図３の図面視における上を「上」、下を「下」として記載する。
【００４７】
ヒートシンク３１２３は、ベース部３１２４が保持枠３１２２の背面（反射型液晶パネル３１２１の表面３１２１Ａとは反対側の端面）側に位置して取り付けられる。そして、ヒートシンク３１２３は、反射型液晶パネル３１２１および保持枠３１２２から熱が伝達され、ベース部３１２４および複数のフィン３１２５から熱を放出する。
【００４８】
クロスダイクロイックプリズム３２は、各変調ユニット３１から射出された色光を合成する。
クロスダイクロイックプリズム３２は、４つの直角プリズムが貼り合わされた直方体状に形成され、直角プリズムが貼り合わされた界面には、誘電体多層膜が設けられている。
クロスダイクロイックプリズム３２は、各偏光板３１３を透過した色光がそれぞれ入射する３つの光入射側端面３２１Ｒ，３２１Ｇ，３２１Ｂ、合成した色光が射出される射出側端面３２１Ｓ、および光入射側端面３２１Ｒ，３２１Ｇ，３２１Ｂに交差する一対の交差端面３２２を有している。
【００４９】
具体的に、光入射側端面３２１Ｒ，３２１Ｇ，３２１Ｂは、図３に示すように、対向方向Ｄに沿う４つの面の内の３つに形成されている。そして、光入射側端面３２１Ｒと光入射側端面３２１Ｂとは、互いに対向し、光入射側端面３２１Ｇは、光入射側端面３２１Ｒの縁部と光入射側端面３２１Ｂの縁部とに接続されるように形成されている。そして、射出側端面３２１Ｓは、光入射側端面３２１Ｇに対向する位置に設けられている。
【００５０】
そして、クロスダイクロイックプリズム３２は、図１に示すように、光入射側端面３２１Ｒ，３２１Ｇ，３２１Ｂが各色光の偏光板３１３を透過した光束の光軸に対して略直交するように配置される。つまり、光学装置３は、３つの変調ユニット３１が光入射側端面３２１Ｒ，３２１Ｇ，３２１Ｂの各面側において、クロスダイクロイックプリズム３２を囲むように配置される。
そして、第２の反射型光変調装置３１２Ｇは、第１の反射型光変調装置３１２Ｒに入射する光の光路（以下、「第１光路」という）と、第３の反射型光変調装置３１２Ｂに入射する光の光路（以下、「第２光路」という）との間に配置されることとなる。具体的に、第１光路は、反射ミラー２３４によって反射された光の光路であり、第２光路は、反射ミラー２３３によって反射された光の光路となり、この第２光路は、第２の反射型光変調装置３１２Ｇに取り付けられているヒートシンク３１２３側に構成される。
【００５１】
クロスダイクロイックプリズム３２は、Ｇ光用の偏光板３１３から射出された色光を透過し、Ｂ光用およびＲ光用の偏光板３１３から射出された色光を反射して各色光を合成する。そして、クロスダイクロイックプリズム３２にて合成された色光は、射出側端面３２１Ｓから射出され、投写レンズ２８によって拡大投写される。なお、以下では、投写レンズ２８から合成された色光が投写される方向側を「前面側」という。
【００５２】
〔ダクト部材の構成〕
ダクト部材５は、図２に示すように、クロスダイクロイックプリズム３２の下側の交差端面３２２に対向する位置に配置され、冷却ファン（図示略）から吐出された空気を光学装置３に導く。
図４、図５は、ダクト部材５の斜視図である。具体的に、図４は、上方からダクト部材５を見た斜視図であり、図５は、下方からダクト部材５を見た斜視図である。
ダクト部材５は、図４、図５に示すように、上側を形成する第１筐体５Ａと、下側を形成する第２筐体５Ｂとを備え、双方の部材が組み合わされて中空状となるように形成されている。
【００５３】
図６は、第１筐体５Ａを内側から見た斜視図であり、図７は、第２筐体５Ｂを内側から見た斜視図である。
ダクト部材５は、図４〜図７に示すように、導入ダクト部６と、ダクト本体７とを備えている。
導入ダクト部６は、図５、図７に示すように、第２筐体５Ｂに設けられ、下方に延出し、断面視矩形状の筒状に形成されている。そして、導入ダクト部６は、冷却ファンから吐出された空気を導入する。
【００５４】
ダクト本体７は、図２、図４〜図７に示すように、交差端面３２２（図２参照）に沿って延出するように形成されている。
そして、ダクト本体７は、各一端１１Ａ，１２Ａ，１３Ａがそれぞれ連通し、各他端１１Ｂ，１２Ｂ，１３Ｂから３つのヒートシンク３１２３にそれぞれ空気を送風する３つの送風ダクト部（第１〜第３送風ダクト部１１〜１３）を備えている。
【００５５】
第１送風ダクト部１１は、図２、図６に示すように、平面視で、一端１１Ａから光入射側端面３２１Ｇに略直交する方向に延び、略９０°屈曲して他端１１Ｂまで延出する。そして、一端１１Ａ側は、クロスダイクロイックプリズム３２の配設位置に対応する位置に位置付けられる。他端１１Ｂ側は、第２の反射型光変調装置３１２Ｇの配設位置に対応する位置に位置付けられる。
【００５６】
この第１送風ダクト部１１の他端１１Ｂには、第１筐体５Ａにおける第２の反射型光変調装置３１２Ｇに対応する位置に、図２、図４、図６に示すように、ダクト部材５内外を連通するＧ側排出口１１１が形成されている。
Ｇ側排出口１１１は、図２に示すように、第２の反射型光変調装置３１２Ｇに取り付けられているヒートシンク３１２３の下方に位置するように形成されている。
【００５７】
第２送風ダクト部１２は、図２、図６に示すように、平面視で、一端１２Ａから光入射側端面３２１Ｂに略直交する方向に延び、前面側に略９０°屈曲して他端１２Ｂまで延出する。そして、一端１２Ａ側は、クロスダイクロイックプリズム３２の配設位置に対応する位置に位置付けられる。他端１２Ｂ側は、第３の反射型光変調装置３１２Ｂの配設位置に対応する位置に位置付けられる。
【００５８】
図８は、Ｂ光用の変調ユニット３１、およびダクト部材５の一部を示す斜視図であり、前面側から見た図である。
この第２送風ダクト部１２の他端１２Ｂにおいて、第１筐体５Ａにおける第３の反射型光変調装置３１２Ｂに対応する位置には、図２、図４、図８に示すように、第１排出部１２１、および第２排出部１２２が形成されている。
【００５９】
第１排出部１２１は、図２、図８に示すように、第３の反射型光変調装置３１２Ｂ、および第３の反射型光変調装置３１２Ｂに取り付けられたヒートシンク３１２３と機械的に干渉することを避けながら、先端部分がヒートシンク３１２３に対向するように、対向方向Ｄに沿って膨出する。また、第１排出部１２１は、図２に示すように、平面視において、クロスダイクロイックプリズム３２に対して、ヒートシンク３１２３の遠い側の端部３１２３Ｂ側に位置付けられている。
そして第１排出部１２１には、ヒートシンク３１２３のフィン３１２５に対向する位置に、図２、図４に示すように、ダクト部材５内外を連通するＢ側排出口１２１Ａが形成されている。
【００６０】
第２排出部１２２は、ダクト部材５内外を連通する開口であり、ヒートシンク３１２３の下方に形成されている。第２排出部１２２は、図２に示すように、平面視で、ヒートシンク３１２３の端部３１２３Ｂと反対側の端部３１２３Ａ側に位置付けられている。つまり、第１排出部１２１は、クロスダイクロイックプリズム３２に対して、第２排出部１２２より遠い位置に形成されている。
そして、第２排出部１２２おける第１排出部１２１側の縁部分には、図４、図８に示すように、対向方向Ｄに沿って延びる整流リブ１２２Ａが形成されている。
【００６１】
第３送風ダクト部１３は、第２送風ダクト部１２と同様に構成され、平面視で後述する第１流路Ｒ１（図６参照）の流路方向を中心として第２送風ダクト部１２に対称となるように形成されている。そして、第３送風ダクト部１３の他端１３Ｂには、図２、図４に示すように、第１排出部１２１（Ｂ側排出口１２１Ａ）および第２排出部１２２（整流リブ１２２Ａ）と同様の、第１排出部１３１（Ｒ側排出口１３１Ａ）および第２排出部１３２（整流リブ１３２Ａ）が設けられている。
このように、ダクト部材５には、第１の反射型光変調装置３１２Ｒ、および第３の反射型光変調装置３１２Ｂに対応する第１排出部１２１，１３１が設けられ、第２の反射型光変調装置３１２Ｇに対応する第１排出部が設けられていない。
【００６２】
また、第１筐体５Ａにおけるクロスダイクロイックプリズム３２の配設位置に対応する位置には、図２、図４、図８に示すように、平面視で各光入射側端面３２１Ｒ，３２１Ｇ，３２１Ｂを囲むように、ダクト部材５内外を連通する出射側排出部５Ａ１が形成されている。
【００６３】
〔ダクト部材内部の流路〕
ここで、ダクト部材５内の空気の流路について説明する。
先ず、冷却ファンから吐出された空気Ａｒは、図５〜図７に示すように、導入ダクト部６を介して、交差端面３２２（図２参照）に略直交する方向からダクト本体７に導入され、第１筐体５Ａの内面（以下、導入位置Ｐ（図６参照））に衝突する。
そして、導入された空気Ａｒは、第１筐体５Ａ内面に衝突することで、ダクト本体７内部において、交差端面３２２に沿う方向に分散する。
【００６４】
分散した空気Ａｒの一部は、図６、図７に示すように、導入位置Ｐから光入射側端面３２１Ｇ（図２参照）に略直交して第１送風ダクト部１１に向けて直線状に延びる第１流路Ｒ１に沿って流通する。
そして、第１流路Ｒ１に沿って流通する空気Ａｒの一部は、図４、図６に示すように、光入射側端面３２１Ｇ（図２参照）に対応する位置に形成された出射側排出部５Ａ１を介してダクト部材５外部に排出される。この出射側排出部５Ａ１から排出された空気Ａｒは、光入射側端面３２１ＧとＧ光側の偏光板３１３との間を対向方向Ｄに沿って流通し、Ｇ光側の偏光板３１３を冷却する。
【００６５】
また、第１流路Ｒ１に沿って流通する空気Ａｒは、図６、図７に示すように、第１送風ダクト部１１内部に形成された曲線状の整流リブ１１２にて他端１１Ｂ側に整流され、Ｇ側排出口１１１を介してダクト部材５外部に排出される。Ｇ側排出口１１１から排出された空気Ａｒは、対向方向Ｄに沿って流通し、すなわち、第２の反射型光変調装置３１２Ｇに取り付けられたヒートシンク３１２３（図２参照）のフィン３１２５の延出方向に沿って流通し、第２の反射型光変調装置３１２Ｇを冷却する。
【００６６】
このように、第１送風ダクト部１１は、導入した空気Ａｒをヒートシンク３１２３のフィン３１２５の延出する方向に沿って排出し、ヒートシンク３１２３が取り付けられている第２の反射型光変調装置３１２Ｇを冷却する。
【００６７】
また、分散した空気Ａｒの一部は、図６、図７に示すように、導入位置Ｐから光入射側端面３２１Ｂ（図２参照）に略直交して第２送風ダクト部１２に向けて直線状に延びる第２流路Ｒ２に沿って流通する。
そして、第２流路Ｒ２に沿って流通する空気Ａｒの一部は、図４、図６、図８に示すように、光入射側端面３２１Ｂ（図２参照）に対応する位置に形成された出射側排出部５Ａ１を介してダクト部材５外部に排出される。この出射側排出部５Ａ１から排出された空気Ａｒは、図８に示すように、光入射側端面３２１Ｂ（図２参照）とＢ光側の偏光板３１３との間を対向方向Ｄに沿って流通し、Ｂ光側の偏光板３１３を冷却する。
【００６８】
また、第２流路Ｒ２に沿って流通する空気Ａｒの一部は、図６、図７に示すように、第２送風ダクト部１２内部に形成された案内リブ１２３にて第２排出部１２２に案内され、第２排出部１２２を介してダクト部材５外部に排出される。第２排出部１２２から排出された空気Ａｒは、図８に示すように、対向方向Ｄに沿って流通し、すなわち、第３の反射型光変調装置３１２Ｂに取り付けられたヒートシンク３１２３のフィン３１２５の延出方向に沿って流通し、第３の反射型光変調装置３１２Ｂを冷却する。
また、第２排出部１２２は、前述したように、ヒートシンク３１２３の端部３１２３Ａ側に位置付けられているため、第２排出部１２２を介してダクト部材５外部に排出された空気Ａｒは、図８に示すように、ヒートシンク３１２３の端部３１２３Ａ側に送風されることとなる。
【００６９】
さらに、第２流路Ｒ２に沿って流通する空気Ａｒは、図６、図７に示すように、第２送風ダクト部１２内部に形成された曲線状の整流リブ１２４にて第１排出部１２１側に整流され、図４に示すように、Ｂ側排出口１２１Ａを介してダクト部材５外部に排出される。Ｂ側排出口１２１Ａから排出された空気Ａｒは、図８に示すように、ヒートシンク３１２３のベース部３１２４に向かって送風され、第３の反射型光変調装置３１２Ｂを冷却する。
また、第１排出部１２１は、前述したように、ヒートシンク３１２３の端部３１２３Ｂ側に位置付けられているため、Ｂ側排出口１２１Ａから排出された空気Ａｒは、図８に示すように、ヒートシンク３１２３の端部３１２３Ｂ側に送風されることとなる。
【００７０】
このように、第２送風ダクト部１２は、導入した空気Ａｒを第３の反射型光変調装置３１２Ｂに取り付けられたヒートシンク３１２３のベース部３１２４に向かう方向、およびフィン３１２５の延出する方向に沿って排出し、第３の反射型光変調装置３１２Ｂを冷却する。
【００７１】
また、分散した空気Ａｒの一部は、図６、図７に示すように、導入位置Ｐから第３送風ダクト部１３に向けて第２流路Ｒ２と逆方向に延びる第３流路Ｒ３に沿って流通する。
すなわち、第２送風ダクト部１２、第３送風ダクト部１３は、第１流路Ｒ１の流路方向の同一位置（導入位置Ｐに略合致する位置）で第１流路Ｒ１にそれぞれ連通している。
【００７２】
そして、第３流路Ｒ３に沿って流通する空気Ａｒは、第２流路Ｒ２に沿って流通する空気Ａｒと略同様に流通し、Ｒ光側の偏光板３１３、第１の反射型光変調装置３１２Ｒを冷却する。具体的に、光入射側端面３２１Ｒ（図２参照）に対応する位置に形成された出射側排出部５Ａ１から排出された空気Ａｒは、Ｒ光側の偏光板３１３を冷却する。そして、第１排出部１３１（Ｒ側排出口１３１Ａ）から排出された空気Ａｒは、ヒートシンク３１２３のベース部３１２４に向かう方向に流通し、第２排出部１３２から排出された空気Ａｒは、フィン３１２５の延出する方向に沿って流通し、第１の反射型光変調装置３１２Ｒを冷却する。
【００７３】
以上説明したように、本実施形態のプロジェクター１によれば、以下の効果を得ることができる。
（１）第１の反射型光変調装置３１２Ｒおよび第３の反射型光変調装置３１２Ｂに取り付けられるヒートシンク３１２３には、ベース部３１２４に向かう方向、およびフィン３１２５に沿う方向の空気が流れる。これによって、ヒートシンク３１２３には、ベース部３１２４およびフィン３１２５の表面に満遍なく空気が吹き付けられることが可能になると共に、ベース部３１２４に向かう方向の空気によって、風圧が高められた空気が吹き付けられる。よって、ヒートシンク３１２３、つまり第１の反射型光変調装置３１２Ｒおよび第３の反射型光変調装置３１２Ｂの効率的な冷却が可能となる。
また、ダクト部材５は、交差端面３２２に対向する位置に配置され、各ヒートシンク３１２３のフィン３１２５は、交差端面３２２に交差する方向に延出している。そして、各ヒートシンク３１２３は、ダクト部材５の他端１１Ｂ，１２Ｂ，１３Ｂに設けられた、Ｇ側排出口１１１、第１排出部１２１，１３１、第２排出部１２２，１３２から排出された空気によって冷却される。これによって、プロジェクター１内部のデッドスペースとなりやすい位置にダクト部材５を配置し、各ヒートシンク３１２３には、迂回が抑制された空気が送風されることとなる。
したがって、プロジェクター１の小型化を図りつつ、ヒートシンク３１２３が取り付けられている各反射型光変調装置３１２の効率的な冷却が可能となる。
【００７４】
（２）第２の反射型光変調装置３１２Ｇは、第１光路と、第２光路との間に配置されている。そして、第２光路は、第２の反射型光変調装置３１２Ｇに取り付けられているヒートシンク３１２３側に構成されている。また、ダクト部材５は、第１の反射型光変調装置３１２Ｒおよび第３の反射型光変調装置３１２Ｂに対応する第１排出部１２１，１３１を有し、第２の反射型光変調装置３１２Ｇに対応する第１排出部を有していない。つまり、第２光路を第２の反射型光変調装置３１２Ｇに近付けて配置することができる。第２光路には、リレーレンズ２４Ｂ、偏光板２５Ｂ、おとび平行化レンズ２６Ｂ等が配置されている。よって、第１および第３の反射型光変調装置３１２Ｒ，３１２Ｂの効率的な冷却、および光学ユニット２の小型化を図りつつ、投写される画像の画質を高めたプロジェクター１の提供が可能となる。
【００７５】
（３）第１排出部１２１，１３１は、クロスダイクロイックプリズム３２に対して、第２排出部１２２，１３２より遠い位置に形成されているので、クロスダイクロイックプリズム３２の周囲に配置される部材、例えば、投写レンズ２８や投写レンズを保持するための部材をスペース効率良く配置することが可能となる。よって、効率的に第１および第３の反射型光変調装置３１２Ｒ，３１２Ｂを冷却しつつ、さらに小型化や光学的な品質を高めた画像の投写が可能なプロジェクター１の提供が図れる。
【００７６】
（４）導入ダクト部６から導入された空気は、ダクト本体７の第１〜第３送風ダクト部１１〜１３によって第１〜第３流路Ｒ１〜Ｒ３に分散し、各ヒートシンク３１２３に送風される。よって、簡易な構成でかつ少ない部品点数で、複数のヒートシンク３１２３、つまりヒートシンク３１２３が取り付けられている複数の反射型光変調装置３１２を冷却することが可能となる。したがって、効率的に複数の反射型光変調装置３１２を冷却しつつ、さらに小型化や低コスト化が図れたプロジェクター１の提供が可能となる。
【００７７】
（５）導入ダクト部６を介してダクト本体７に導入された空気は、ダクト本体７内面に衝突して交差端面３２２に沿う方向に分散し、第１〜第３送風ダクト部１１〜１３にバランス良く送り込まれる。このため、複数のヒートシンク３１２３、つまり３つの反射型光変調装置３１２をバランス良く冷却できる。
そして、上述した構成により第１〜第３送風ダクト部１１〜１３にバランス良く空気を送り込んでいるため、ダクト本体７内部に複雑なリブ等を設ける必要がなく、ダクト本体７の構造の簡素化が図れる。また、複雑なリブ等を設ける必要がないので、導入された空気の一部が滞留することが抑制され、導入された空気を有効に反射型光変調装置３１２の冷却に使用することが可能となる。
【００７８】
（６）第２送風ダクト部１２、第３送風ダクト部１３は、導入位置Ｐに略合致する位置で、かつ、第１流路Ｒ１における流路方向の同一位置で第１流路Ｒ１にそれぞれ連通するように構成されている。
これによって、ダクト本体７内部を流通する空気は、ダクト本体７内面に衝突して交差端面３２２に沿って分散し、特定の送風ダクト部に対して多くの量が送り込まれることがなく、第１〜第３送風ダクト部１１〜１３にバランス良く送り込まれることとなる。このため、３つのヒートシンク３１２３、つまり３つの反射型光変調装置３１２をさらにバランス良く冷却することが可能となる。
【００７９】
（第２実施形態）
次に、第２実施形態に係るプロジェクターについて、図面を参照して説明する。
以下の説明では、前記第１実施形態のプロジェクター１と同様の構造および同様の部材には、同一符号を付し、その詳細な説明は省略または簡略化する。
本実施形態のプロジェクターは、第１実施形態のダクト部材５と形状が異なるダクト部材５を備えている。
図９〜図１２は、第２実施形態におけるダクト部材５の構成を示す図である。具体的に、図９〜図１２は、図４〜図７と同様の方向から第２実施形態におけるダクト部材５を見た斜視図である。
本実施形態のダクト部材５は、第１実施形態のダクト部材５に対して、第２送風ダクト部１２、第３送風ダクト部１３の第１流路Ｒ１への連通位置が異なるように形成されている。
【００８０】
具体的に、本実施形態のダクト部材５は、第１実施形態のダクト部材５に対して、図１１、図１２に示すように、第１排出部１２１，１３１に向けて空気Ａｒを整流する整流リブ１２４，１３４や、第２排出部１３２に空気Ａｒを案内する案内リブ１３３等の形状が変更されている。そして、各リブ１２４，１３３，１３４等の形状が変更されることで、第２送風ダクト部１２（第１排出部１２１に向う流路）と第３送風ダクト部１３（第１排出部１３１に向う流路）とは、第１流路Ｒ１の流路方向の異なる位置で第１流路Ｒ１にそれぞれ連通している。
なお、ダクト部材５を介した各反射型光変調装置３１２への空気の流れは、図９〜図１２に示すように、第１実施形態と略同様であるため、説明を省略する。
【００８１】
以上説明したように、本実施形態によれば、第１実施形態の効果（１）〜（５）に加えて、以下の効果を得ることができる。
本実施形態では、第２送風ダクト部１２、および第３送風ダクト部１３は、第１流路Ｒ１における流路方向の異なる位置で第１流路Ｒ１にそれぞれ連通するように構成されている。
これによって、導入ダクト部６を介してダクト本体７内部に導入され、第１流路Ｒ１に沿って流通した空気は、第２送風ダクト部１２、第３送風ダクト部１３に主に送り込まれることがなく、第１〜第３送風ダクト部１１〜１３に順にバランス良く送り込まれることとなる。このため、３つの反射型光変調装置３１２をバランス良く冷却することが可能となる。
【００８２】
（変形例）
なお、前記実施形態は、以下のように変更してもよい。
前記実施形態では、第１〜第３の反射型光変調装置３１２Ｒ，３１２Ｇ，３１２Ｂは、それぞれＲ光用、Ｇ光用、Ｂ光用に対応するように構成されているが、対応する色光を替えて構成してもよい。
【００８３】
前記実施形態では、第１排出部１２１，１３１および第２排出部１２２，１３２は、第２送風ダクト部１２、第３送風ダクト部１３に形成されていたが、これに限らず、第１排出部、および第２排出部を第１〜第３送風ダクト部１１〜１３のうちいずれか１つのみに形成してもよく、あるいは、第１〜第３送風ダクト部１１〜１３の全てに形成してもよい。
【００８４】
前記各実施形態では、導入ダクト部６は、ダクト本体７に対して、交差端面３２２に略直交する方向から空気を導入していたが、これに限らず、他の方向から空気を導入するように構成してもよい。
【００８５】
前記実施形態では、反射型偏光板３１１としてワイヤーグリッド型が用いられているが、反射型偏光板であればその他の構成を採用しても構わない。例えば、反射型偏光板として、誘電体多層膜によって形成される偏光分離素子、液晶材料等の屈折率異方性（複屈折性）を有する有機材料を層状に積層させた高分子系の層状偏光板、偏りのない光を右回りの円偏光と左回りの円偏光とに分離する円偏光反射板と１／４波長板を組み合わせた光学素子、ブリュースター角を利用して反射偏光光と透過偏光光とに分離する光学素子、あるいは、ホログラムを利用したホログラム光学素子等を採用してもよい。
【００８６】
光源２１１は放電型のランプに限らず、その他の方式のランプや発光ダイオード等の固体光源で構成してもよい。
【符号の説明】
【００８７】
１…プロジェクター、５…ダクト部材、５Ａ…第１筐体、５Ｂ…第２筐体、６…導入ダクト部、７…ダクト本体、１０…外装筐体、１１…第１送風ダクト部、１２…第２送風ダクト部、１３…第３送風ダクト部、２１…光源装置、２３…色分離光学装置、３１…変調ユニット、３２…クロスダイクロイックプリズム、１１１…Ｇ側排出口、１２１，１３１…第１排出部、１２１Ａ…Ｂ側排出口、１２２，１３２…第２排出部、１３１Ａ…Ｒ側排出口、３１２…反射型光変調装置、３１２Ｂ…第３の反射型光変調装置、３１２Ｇ…第２の反射型光変調装置、３１２Ｒ…第１の反射型光変調装置、３２１Ｂ，３２１Ｇ，３２１Ｒ…光入射側端面、３２１Ｓ…射出側端面、３２２…交差端面、３１２３…ヒートシンク、３１２４…ベース部、３１２５…フィン、Ｐ…導入位置、Ｒ１…第１流路、Ｒ２…第２流路、Ｒ３…第３流路。
【図１】
0005691444.tif 000002
【図２】
0005691444.tif 000003
【図３】
0005691444.tif 000004
【図４】
0005691444.tif 000005
【図５】
0005691444.tif 000006
【図６】
0005691444.tif 000007
【図７】
0005691444.tif 000008
【図８】
0005691444.tif 000009
【図９】
0005691444.tif 000010
【図１０】
0005691444.tif 000011
【図１１】
0005691444.tif 000012
【図１２】
0005691444.tif 000013